(57)【要約】【課題】ＧＰＳ信号受信装置において、ＴＣＸＯの高精度化以外の方法によって温度変化による測位成功率の低下を抑制すると共に、弱電界環境における特性を改善する。【解決手段】ホスト１２は、ＴＣＸＯ６に内蔵された温度センサにより検出された周囲雰囲気温度を示す温度データを入力として受け、ＣＰＵ１２２がＲＯＭ１２１に予め記録されているＬＮＡ１０の温度補正情報のうち、入力温度データに対応する温度補正情報を読み出し、その読み出した温度補正情報に基づいたゲインコントロール信号を生成して、ＬＮＡ１０に供給してその利得を可変制御する。これにより、温度センサにより検出されたＴＣＸＯ６の周囲雰囲気温度が変化しても、可変利得型ＬＮＡ１０から出力される増幅後ＧＰＳ信号の変動が最小限に抑圧される。この結果、温度変化による測位成功率の低下を抑制することができる。【選択図】図１
2009186406.tif 000002
【特許請求の範囲】
【請求項１】
ＧＰＳ衛星から送信された電波を受信して得たＧＰＳ信号に基づいて、現在位置の位置情報を取得するＧＰＳ受信装置において、
前記ＧＰＳ信号を増幅する可変利得型の増幅手段と、
局部発振周波信号を発振出力する発振手段と、
周囲温度を検出して温度データを出力する温度検出手段と、
前記増幅手段から出力された増幅後のＧＰＳ信号を、前記発振手段から出力された前記局部発振周波信号と混合して得た所定周波数の中間周波信号に基づいて、前記位置情報を生成する周波数変換及び位置情報生成手段と、
前記温度検出手段から出力された前記温度データに基づいて制御信号を生成し、その制御信号により前記増幅手段の利得を可変制御して、温度変化による前記増幅手段の出力信号の変動を最小限に抑える利得制御手段と
を有することを特徴とするＧＰＳ受信装置。
【請求項２】
ＧＰＳ衛星から送信された電波を受信して得たＧＰＳ信号に基づいて、現在位置の位置情報を取得するＧＰＳ受信装置において、
前記ＧＰＳ信号を低雑音増幅する可変利得型の低雑音増幅手段と、
発振部から局部発振周波信号を発振出力すると共に、内蔵する温度センサにより該発振部の周囲温度を検出して温度データを出力する温度補償発振手段と、
前記低雑音増幅手段から出力された増幅後のＧＰＳ信号を、前記温度補償発振手段から出力された前記局部発振周波信号と混合して、所定周波数の中間周波信号に変換する混合手段と、
前記混合手段から出力された前記中間周波信号に基づいて、前記位置情報を生成する位置情報生成手段と、
前記温度補償発振手段の前記温度センサから出力された前記温度データに基づいて制御信号を生成し、その制御信号により前記低雑音増幅手段の利得を可変制御して、温度変化による前記低雑音増幅手段の出力信号の変動を最小限に抑える利得制御手段と
を有することを特徴とするＧＰＳ受信装置。
【請求項３】
ＧＰＳ衛星から送信された電波を受信して得たＧＰＳ信号に基づいて、現在位置の位置情報を取得するＧＰＳ受信装置において、
前記ＧＰＳ信号を低雑音増幅する可変利得型の低雑音増幅手段と、
前記低雑音増幅手段の近傍の温度を検出して温度データを出力する温度検出手段と、
局部発振周波信号を発振出力する温度補償発振手段と、
前記低雑音増幅手段から出力された増幅後のＧＰＳ信号を、前記温度補償発振手段から出力された前記局部発振周波信号と混合して、所定周波数の中間周波信号に変換する混合手段と、
前記混合手段から出力された前記中間周波信号に基づいて、前記位置情報を生成する位置情報生成手段と、
前記温度検出手段から出力された前記温度データに基づいて制御信号を生成し、その制御信号により前記低雑音増幅手段の利得を可変制御して、温度変化による前記低雑音増幅手段の出力信号の変動を最小限に抑える利得制御手段と
を有することを特徴とするＧＰＳ受信装置。
【請求項４】
前記利得制御手段は、
一定振幅の信号を前記低雑音増幅手段に供給して増幅させると共に、前記温度補償発振手段の周囲雰囲気温度をある温度間隔で可変し、その各温度毎に前記低雑音増幅手段の出力信号を一定とするような該低雑音増幅手段の利得を求めて得た温度対利得特性を示す温度補正情報が予め記憶されている記憶部と、
前記温度データに基づいて前記記憶部を参照して該温度データに対応する利得に制御するための前記制御信号を生成する制御信号生成手段と
を有することを特徴とする請求項２記載のＧＰＳ受信装置。
【請求項５】
前記利得制御手段は、
一定振幅の信号を前記低雑音増幅手段に供給して増幅させると共に、前記低雑音増幅手段の周囲雰囲気温度をある温度間隔で可変し、その各温度毎に前記低雑音増幅手段の出力信号を一定とするような該低雑音増幅手段の利得を求めて得た温度対利得特性を示す温度補正情報が予め記憶されている記憶部と、
前記温度データに基づいて前記記憶部を参照して該温度データに対応する利得に制御するための前記制御信号を生成する制御信号生成手段と
を有することを特徴とする請求項３記載のＧＰＳ受信装置。
【請求項６】
無線部により最寄りの基地局と無線通信すると共に、ＧＰＳ受信部によりＧＰＳ衛星から送信された電波を受信して得たＧＰＳ信号に基づいて自己の現在位置の位置情報を取得する携帯端末において、
前記ＧＰＳ受信部は、
前記ＧＰＳ信号を増幅する可変利得型の増幅手段と、
局部発振周波信号を発振出力する発振手段と、
周囲温度を検出して温度データを出力する温度検出手段と、
前記増幅手段から出力された増幅後のＧＰＳ信号を、前記発振手段から出力された前記局部発振周波信号と混合して得た所定周波数の中間周波信号に基づいて、前記位置情報を生成する周波数変換及び位置情報生成手段と、
前記温度検出手段から出力された前記温度データに基づいて制御信号を生成し、その制御信号により前記増幅手段の利得を可変制御して、温度変化による前記増幅手段の出力信号の変動を最小限に抑える利得制御手段と
を有することを特徴とする携帯端末。
【請求項７】
無線部により最寄りの基地局と無線通信すると共に、ＧＰＳ受信部によりＧＰＳ衛星から送信された電波を受信して得たＧＰＳ信号に基づいて自己の現在位置の位置情報を取得する携帯端末において、
前記ＧＰＳ受信部は、
前記ＧＰＳ信号を低雑音増幅する可変利得型の低雑音増幅手段と、
発振部から局部発振周波信号を発振出力すると共に、内蔵する温度センサにより該発振部の周囲温度を検出して温度データを出力する温度補償発振手段と、
前記低雑音増幅手段から出力された増幅後のＧＰＳ信号を、前記温度補償発振手段から出力された前記局部発振周波信号と混合して、所定周波数の中間周波信号に変換する混合手段と、
前記混合手段から出力された前記中間周波信号に基づいて、前記位置情報を生成する位置情報生成手段と、
前記温度補償発振手段の前記温度センサから出力された前記温度データに基づいて制御信号を生成し、その制御信号により前記低雑音増幅手段の利得を可変制御して、温度変化による前記低雑音増幅手段の出力信号の変動を最小限に抑える利得制御手段と
を有することを特徴とする携帯端末。
【請求項８】
無線部により最寄りの基地局と無線通信すると共に、ＧＰＳ受信部によりＧＰＳ衛星から送信された電波を受信して得たＧＰＳ信号に基づいて自己の現在位置の位置情報を取得する携帯端末において、
前記ＧＰＳ受信部は、
前記ＧＰＳ信号を低雑音増幅する可変利得型の低雑音増幅手段と、
前記低雑音増幅手段の近傍の温度を検出して温度データを出力する温度検出手段と、
局部発振周波信号を発振出力する温度補償発振手段と、
前記低雑音増幅手段から出力された増幅後のＧＰＳ信号を、前記温度補償発振手段から出力された前記局部発振周波信号と混合して、所定周波数の中間周波信号に変換する混合手段と、
前記混合手段から出力された前記中間周波信号に基づいて、前記位置情報を生成する位置情報生成手段と、
前記温度検出手段から出力された前記温度データに基づいて制御信号を生成し、その制御信号により前記低雑音増幅手段の利得を可変制御して、温度変化による前記低雑音増幅手段の出力信号の変動を最小限に抑える利得制御手段と
を有することを特徴とする携帯端末。
【請求項９】
前記利得制御手段は、
一定振幅の信号を前記低雑音増幅手段に供給して増幅させると共に、前記温度補償発振手段の周囲雰囲気温度をある温度間隔で可変し、その各温度毎に前記低雑音増幅手段の出力信号を一定とするような該低雑音増幅手段の利得を求めて得た温度対利得特性を示す温度補正情報が予め記憶されている記憶部と、
前記温度データに基づいて前記記憶部を参照して該温度データに対応する利得に制御するための前記制御信号を生成する制御信号生成手段と
を有することを特徴とする請求項７記載の携帯端末。
【請求項１０】
前記利得制御手段は、
一定振幅の信号を前記低雑音増幅手段に供給して増幅させると共に、前記低雑音増幅手段の周囲雰囲気温度をある温度間隔で可変し、その各温度毎に前記低雑音増幅手段の出力信号を一定とするような該低雑音増幅手段の利得を求めて得た温度対利得特性を示す温度補正情報が予め記憶されている記憶部と、
前記温度データに基づいて前記記憶部を参照して該温度データに対応する利得に制御するための前記制御信号を生成する制御信号生成手段と
を有することを特徴とする請求項８記載の携帯端末。
【発明の詳細な説明】
【技術分野】
【０００１】
本発明はＧＰＳ受信装置及びそれを用いた携帯端末に係り、特にＧＰＳ衛星から送信されたＧＰＳ電波の受信信号と温度補償水晶発振器から出力される局部発振周波信号とから生成した中間周波信号に基づいて、自装置の位置情報（緯度、経度等）を取得するＧＰＳ受信装置及びそれを用いた携帯端末に関する。
【背景技術】
【０００２】
高付加価値化によって、携帯電話等の携帯端末へのＧＰＳ受信装置の搭載が一般的になるにつれ、そのＧＰＳ受信装置自体の高性能化の要求が出始めている。ＧＰＳ受信装置は、ＧＰＳ（Global Positioning System:全地球測位システム）を構成する複数のＧＰＳ衛星からのＧＰＳ電波を受信し、その受信信号に基づいて、自装置の位置情報（緯度、経度等）を取得する構成である。ここで、ＧＰＳの測位成功率及び測位時間の短縮には、ＧＰＳ電波の受信信号を周波数変換して中間周波信号に変換するための局部発振周波信号を出力する基準信号源となる温度補償水晶発振器（以下、ＴＣＸＯという）の周波数変動を抑制する方法が一般的に知られている（例えば、特許文献１、２、３参照）。
【０００３】
特許文献１には、温度センサとして温度補償型発振器（ＴＣＯ）を有し、ＧＰＳの基準周波数によりドリフト値が測定されているＧＰＳ受信部を備えた携帯端末が開示されている。また、特許文献２には、シンセサイザ等の基準周波数の発振源としてＴＣＸＯを有し、ＴＣＸＯの発振出力の中心周波数と、基準温度における発振周波数のオフセット量とを、１℃／secで温度を変化させたときのＴＣＸＯの最大周波数変化率とをメモリに記憶させ、ＧＰＳ受信装置の電源投入時にシンセサイザにＴＣＸＯの中心周波数と基準温度におけるオフセットの量を設定して、シンセサイザの出力周波数が受信中間周波数の中心周波数になるように制御することで、ＧＰＳ衛星からの受信信号を短時間で捕捉するＧＰＳ受信装置が開示されている。
【０００４】
更に、特許文献３には、図５のブロック図に示すようなＧＰＳ受信装置が開示されている。図５に示すＧＰＳ受信装置は、ＧＰＳ衛星から送信されたＧＰＳ電波を受信するアンテナ１と、アンテナ１からの受信信号のうち所定の周波数帯域のＧＰＳ受信信号を選択する帯域フィルタ（ＢＰＦ）２と、ＢＰＦ２からのＧＰＳ信号を増幅する低雑音増幅器（以下、ＬＮＡという）３と、段間用の帯域フィルタ（ＢＰＦ）４と、ＧＰＳ用ＬＳＩ（Large Scale Integrated circuit:大規模集積回路）５と、ＴＣＸＯ６と、ホストコンピュータ（以下、ホストと略す）７と、温度調節器８とからなる。
【０００５】
ＧＰＳ用ＬＳＩ５は、ＢＰＦ４から出力されたＧＰＳ信号を、ＴＣＸＯ６から出力された所定周波数の局部発振周波信号と混合して所定周波数の中間周波信号に変換した後、ディジタル信号に変換してホスト７に供給して復調させる。ＴＣＸＯ６は、その周囲雰囲気温度を検出する温度センサを内蔵している。ホスト７はリード・オンリ・メモリ（ＲＯＭ）７１と、中央処理装置（ＣＰＵ）７２とを少なくとも内蔵している。
【０００６】
ホスト７は、ＧＰＳ用ＬＳＩ５から出力されたディジタル信号を復調する一方、ＴＣＸＯ６内の温度センサで検出された温度情報を示す温度データに基づいて、ＲＯＭ７１に予め記憶されている情報を参照して、その参照情報をＣＰＵ７２による演算により、温度センサで検出する温度が一定となるような温度制御信号を生成して、温度調節器８に供給する。温度調節器８は、ＴＣＸＯ６の周囲を加熱するヒータ及びＴＣＸＯ６の周囲を冷却するファンとからなり、温度制御信号に基づいて、いずれか一方が駆動される。
【０００７】
図６は、携帯端末内部に配置された上記のＧＰＳ受信装置において、弱電界環境下で外部温度を変化させた場合のＧＰＳ測位成功率の推移を示す。同図において、横軸は温度、縦軸は測位成功率を示す。また、図６において、実線で記された特性Iは、携帯端末内部のＴＣＸＯ６を信号源として用いた場合、破線で記した特性IIは、携帯端末からＴＣＸＯ６を取り外し、外部のシグナルジェネレータ（以下ＳＧ）から信号を入力した場合の特性を示す。ＳＧから入力された信号は温度変動が無く、安定したものである（ＴＣＸＯ６とＳＧから入力する信号振幅は同一）。この図６の特性I、IIから分かるように、周波数精度によらず、外部温度が上昇するにつれて、測位成功率が低下していることが分かる。
【０００８】
【特許文献１】再公表特許２００４／０８４４０３号公報（第７頁２３〜４６行目、第８頁２１〜３１行目、第１９頁４３行目〜第２０頁４行目）
【特許文献２】特開２０００−１７０６７３号公報（第１４、第１９、第２４、第２６段落）
【特許文献３】特開２０００−２１４２４５号公報（第７、第１２、第１４段落）
【発明の開示】
【発明が解決しようとする課題】
【０００９】
しかしながら、小型・薄型化、及び低消費電力化が求められる携帯端末において、ＴＣＸＯ周辺に温度調整用のヒータ等を配置することは難しく、ＴＣＸＯ自体の高精度化も製造歩留り、コストアップを招くため、実現は難しい。
【００１０】
また、携帯端末においては、カーナビゲーション等で使用されるＧＰＳと比較した場合、無線通信システムの多ハンドル化、各種アプリケーションシステムの搭載、及びヒンジ部分の構造部品の影響があるため、アンテナ面積、及びアンテナの最適な配置場所を確保するのが難しく、アンテナ特性の確保も容易ではない。
【００１１】
更に、携帯端末は使用環境が室内外を問わず多岐にわたるため、弱電界環境下における受信感度特性の維持、向上が求められる。図６に示したように、図５の携帯端末では、外部温度が上昇するにつれて、測位成功率が低下しているが、これは、あるレベル以下の電界環境下においては、基準信号源の周波数精度よりも、受信信号の増幅値変化（ＬＮＡ３のゲインの温度変化）への依存度が大きいためである。
【００１２】
このように、特許文献１乃至３のＧＰＳ受信装置では、ＴＣＸＯは高精度な製品であり、これ以上の精度向上化は製造歩留りの悪化、コストアップを招くため実現困難であり、また、精度を向上しても弱電界環境における特性改善は見込めない。
【００１３】
本発明は以上の点に鑑みなされたもので、ＴＣＸＯの高精度化以外の方法によって温度変化による測位成功率の低下を抑制し得るＧＰＳ受信装置及びそれを用いた携帯端末を提供することを目的とする。
【００１４】
また、本発明の他の目的は、弱電界環境における特性を改善したＧＰＳ受信装置及びそれを用いた携帯端末を提供することにある。
【課題を解決するための手段】
【００１５】
上記の目的を達成するため、本発明のＧＰＳ受信装置は、ＧＰＳ衛星から送信された電波を受信して得たＧＰＳ信号に基づいて、現在位置の位置情報を取得するＧＰＳ受信装置において、
ＧＰＳ信号を増幅する可変利得型の増幅手段と、局部発振周波信号を発振出力する発振手段と、周囲温度を検出して温度データを出力する温度検出手段と、増幅手段から出力された増幅後のＧＰＳ信号を、発振手段から出力された局部発振周波信号と混合して得た所定周波数の中間周波信号に基づいて、位置情報を生成する周波数変換及び位置情報生成手段と、温度検出手段から出力された温度データに基づいて制御信号を生成し、その制御信号により増幅手段の利得を可変制御して、温度変化による増幅手段の出力信号の変動を最小限に抑える利得制御手段とを有することを特徴とする。
【００１６】
また、上記の目的を達成するため、本発明の携帯端末は、無線部により最寄りの基地局と無線通信すると共に、ＧＰＳ受信部によりＧＰＳ衛星から送信された電波を受信して得たＧＰＳ信号に基づいて自己の現在位置の位置情報を取得する携帯端末において、上記ＧＰＳ受信部は、
ＧＰＳ信号を増幅する可変利得型の増幅手段と、局部発振周波信号を発振出力する発振手段と、周囲温度を検出して温度データを出力する温度検出手段と、増幅手段から出力された増幅後のＧＰＳ信号を、発振手段から出力された局部発振周波信号と混合して得た所定周波数の中間周波信号に基づいて、位置情報を生成する周波数変換及び位置情報生成手段と、温度検出手段から出力された温度データに基づいて制御信号を生成し、その制御信号により増幅手段の利得を可変制御して、温度変化による増幅手段の出力信号の変動を最小限に抑える利得制御手段とを有することを特徴とする。
【発明の効果】
【００１７】
本発明によれば、温度補償水晶発振器よりも高精度な信号源を使用することなく、温度変化による測位成功率の低下を抑制することができる。
【発明を実施するための最良の形態】
【００１８】
次に、本発明の実施形態について図面と共に詳細に説明する。
【００１９】
（第１の実施形態）
図１は、本発明になるＧＰＳ受信装置の第１の実施形態のブロック図を示す。同図中、図５と同一構成部分には同一符号を付してある。図１に示す第１の実施形態のＧＰＳ受信装置は、ＧＰＳ衛星から送信されたＧＰＳ電波を受信するアンテナ１と、アンテナ１からの受信信号のうち所定の周波数帯域のＧＰＳ信号を選択するＢＰＦ２と、ＢＰＦ２からのＧＰＳ信号を増幅する可変利得型低雑音増幅器（ＬＮＡ）１０と、段間用のＢＰＦ４と、ＧＰＳ用ＬＳＩ５と、ＴＣＸＯ６と、ホストコンピュータ（ホスト）１２とからなる。
【００２０】
ＴＣＸＯ６は、自身の発振部の周囲雰囲気温度を検出する温度センサを内蔵している。可変利得型ＬＮＡ１０は、外部からの利得制御信号（ゲインコントロール信号）により利得が可変制御される増幅器である。ホスト１２はリード・オンリ・メモリ（ＲＯＭ）１２１と、中央処理装置（ＣＰＵ）１２２とを少なくとも内蔵している。ＲＯＭ１２１には、温度対利得特性を示す温度補正情報が予め記憶されている。この温度補正情報は、予め一定振幅の試験信号を可変利得型ＬＮＡ１０に供給して増幅させると共に、ＴＣＸＯ６の周囲雰囲気温度をある温度間隔で可変して、その各温度毎にＬＮＡ１０の出力信号を略一定とするようなＬＮＡ１０の利得（ゲイン）を求め、得られた温度対利得特性である。
【００２１】
ホスト１２は、ＧＰＳ用ＬＳＩ５から出力された復調データに基づいて位置情報を計算する一方、ＴＣＸＯ６内の温度センサで検出された温度情報を示す温度データに基づいて、ＲＯＭ１２１に予め記憶されている温度補正情報を参照してゲインコントロール信号を生成する。
【００２２】
次に、本実施形態の動作について説明する。ＧＰＳ衛星（図示せず）から送信されたＧＰＳ電波はアンテナ１で受信されてスペクトラム拡散信号であるＧＰＳ信号となり、ＢＰＦ２で所定周波数帯域の信号成分が周波数選択された後、可変利得型ＬＮＡ１０に供給されて増幅され、更に段間用のＢＰＦ４で不要周波数成分が除去された後、ＧＰＳ用ＬＳＩ５に供給される。
【００２３】
ＧＰＳ用ＬＳＩ５は、ＢＰＦ４から出力された増幅後のＧＰＳ信号を、ＴＣＸＯ６から出力される所定周波数の局部発振周波信号と混合して、所定周波数の中間周波信号に変換した後、ディジタル信号に変換してから復調処理を行う公知のＧＰＳ用信号処理を行う。ホスト１２は、ＧＰＳ用ＬＳＩ５から出力された各ＧＰＳ衛星からのＧＰＳ信号の復調データを入力として受け、ＣＰＵ１２２により、それらの復調データから各ＧＰＳ衛星とこのＧＰＳ受信装置との距離データと位置データとを演算し、更にその演算出力からこのＧＰＳ受信装置の位置情報（緯度、経度など）を算出する。
【００２４】
また、ホスト１２は、ＴＣＸＯ６に内蔵された温度センサにより検出された周囲雰囲気温度を示す温度データを入力として受け、ＣＰＵ１２２がＲＯＭ１２１に予め記録されている可変利得型ＬＮＡ１０の温度補正情報のうち、入力温度データに対応する温度補正情報を読み出し、その読み出した温度補正情報に基づいたゲインコントロール信号を生成して、可変利得型ＬＮＡ１０に供給してその利得（ゲイン）を可変制御する。これにより、温度センサにより検出されたＴＣＸＯ６の周囲雰囲気温度が変化しても、可変利得型ＬＮＡ１０から出力される増幅後ＧＰＳ信号の変動が最小限に抑圧される。なお、上記の利得は、例えば温度が高くなると低くなるように制御される。
【００２５】
図２は、本実施形態における温度対測位成功率特性を示す。同図に示すように、本実施形態では、ＴＣＸＯ６に内蔵された温度センサにより検出された周囲雰囲気温度が上昇するにつれて、測位成功率が若干低下しているが、その低下は僅かである。従って、本実施形態によれば、温度変化によるＬＮＡ１０の出力信号の変動を最小限に抑えることで、弱電界環境における測位成功率の劣化を防ぐことができる。
【００２６】
また、本実施形態によれば、ＴＣＸＯ６の高精度化以外の可変利得型ＬＮＡ１０の利得を制御する方法によってＧＰＳ受信装置の高性能化を実現することができる。
【００２７】
（第２の実施形態）
図３は、本発明になるＧＰＳ受信装置の第２の実施形態のブロック図を示す。同図中、図１と同一構成部分には同一符号を付し、その説明を省略する。図３に示すＧＰＳ受信装置は、可変利得型ＬＮＡ１０の近傍位置に個別の温度センサ１１を設置し、その温度センサ１１により可変利得型ＬＮＡ１０の周囲温度を測定し、その測定結果である温度データに基づいて可変利得型ＬＮＡ１０のゲインコントロールを行う点に特徴がある。
【００２８】
ＲＯＭ１２１には、一定振幅の試験信号を可変利得型ＬＮＡ１０に供給して増幅させると共に、ＬＮＡ１０の周囲雰囲気温度をある温度間隔で可変し、その各温度毎にＬＮＡ１０の出力信号を略一定とするようなＬＮＡ１０の利得（ゲイン）を求め、得られた温度対利得特性を示す温度補正情報が予め記憶されている。ホスト１２は、ＧＰＳ用ＬＳＩ５から出力された復調データに基づいて位置情報を計算する一方、温度センサ１１で検出された温度情報を示す温度データに基づいて、ＲＯＭ１２１に予め記憶されている温度補正情報を参照してゲインコントロール信号を生成する。
【００２９】
すなわち、本実施形態では、ホスト１２は、個別の温度センサ１１により検出された周囲雰囲気温度を示す温度データを入力として受け、ＣＰＵ１２２がＲＯＭ１２１に予め記録されている可変利得型ＬＮＡ１０の温度補正情報のうち、入力温度データに対応する温度補正情報を読み出し、その読み出した温度補正情報に基づいたゲインコントロール信号を生成して、可変利得型ＬＮＡ１０に供給してその利得（ゲイン）を可変制御する。これにより、これにより、温度センサ１１により検出された可変利得型ＬＮＡ１０の周囲雰囲気温度が変化しても、可変利得型ＬＮＡ１０から出力される増幅後ＧＰＳ信号の変動が最小限に抑圧される。
【００３０】
本実施形態は、個別の温度センサ１１を使用することによって、ＬＮＡ１０の近傍の温度変化をより正確に計測可能となり、第１の実施形態に比べて測位成功率の向上が可能となる。
【００３１】
次に、本発明のＧＰＳ受信装置を用いた携帯端末の実施形態について説明する。図４は、本発明になるＧＰＳ受信装置を用いた携帯端末の一実施形態のブロック図を示す。図４に示す携帯端末の一例としての携帯電話は、通常の音声、メール等の送受信機能のほか、アンテナ１に接続されたＧＰＳ受信部１５を備えた点に特徴がある。このＧＰＳ受信部１５は、図１又は図３に示したブロック図中のホスト１２以外の構成のＧＰＳ受信部である。
【００３２】
携帯電話は、ＧＰＳ受信部１５に加えて、制御部２０、携帯電話用アンテナ２１、無線部２２、送信信号と受信信号の信号処理を行う信号処理部２３、プログラムや電話帳データなどが記憶されている記憶部２４、各種の情報を入力するための入力部２５、各種の情報を表示するための表示部２６、音声信号を処理する音声処理部２７、受話音声などを発音するスピーカ２８、送話音声を収音するマイクロフォン２９を有している。
【００３３】
制御部２０は、図１又は図３に示したホスト１２と同様の機能に加えて、この携帯電話の通常の音声、メール等の送受信機能を有する演算回路部である。なお、ＧＰＳ受信部１５内にホスト１２を設け、制御部２０はホスト１２とは別の構成としてもよいことは勿論である。無線部２２は、携帯電話網内の図示しない最寄りの基地局との間で携帯電話用アンテナ２１を介して無線通信する。
【００３４】
この携帯電話は、通話時には、入力部２５から入力されたダイヤル番号、又は所定の着信応答操作信号が制御部２０に入力される。これにより、制御部２０から信号処理部２３、無線部２２、アンテナ２１を介して最寄りの基地局（図示せず）へ送信信号が無線出力され、更に基地局から公衆網などを介して相手端末との間で所定のシーケンスに従って通話路が確立される。
【００３５】
その後、相手端末からの通話信号は、公衆網及び基地局を介してアンテナ２１で受信され、無線部２２で受信処理された後、信号処理部２３で受話音声信号に変換され、更に音声処理部２７を介してスピーカ２８に供給され、ここで電気−音響変換されて受話音声として発音される。一方、送話音声は、マイクロフォン２９により音響−電気変換されて送話音声信号となり、音声処理部２７及び信号処理部２３を経由して無線部２２に供給され、ここで所定周波数帯の送信信号とされた後、アンテナ２１を介して基地局へ無線送信され、更に基地局から公衆網などを介して相手端末へ送信される。以上の音声通信の動作は公知である。
【００３６】
このような音声通信を行う携帯電話に設けられたＧＰＳ受信部１５は、前述したように、ＧＰＳ衛星からの電波を受信してＧＰＳ信号を生成し、このＧＰＳ信号に基づいて図１又は図３のＧＰＳ用ＬＳＩ５により演算して得られた位置情報（又は復調データ）を図４の制御部２０に供給する一方、温度センサからの温度データを制御部２０に供給し、この温度データに基づいて制御部２０で生成されたゲインコントロール信号に基づいて内部のＬＮＡの利得が、温度変化によるＬＮＡの出力信号の変動を最小限に抑えるように可変制御される。
【００３７】
制御部２０は、上記のＧＰＳ受信部１５からの位置情報に基づいて、この携帯電話の現在位置を認識し、記憶部２４に記憶されている基地局情報から、その現在位置に対応する基地局のゾーンを特定し、そのゾーンを受け持ち、かつ、所定の電波強度が認識される基地局に対してチャネル切り替え指示を要求するなどの、移動通信において公知の処理を行い、移動通信を可能とする（なお、位置情報を用いた移動通信の詳細な説明は、本発明の要旨ではないので省略する。）。
【００３８】
ここで、弱電界環境下で、かつ、外部温度が上昇するにつれて、一般にはＧＰＳ信号による測位成功率が低下する。しかし、本実施形態では、ＧＰＳ受信部１５の内部のＬＮＡの利得を可変制御して、温度変化によるＬＮＡの出力ＧＰＳ信号の変動を最小限に抑えるようにしているので、弱電界環境における測位成功率特性を改善することができ、これにより弱電界環境下においても移動通信を維持できる。
【００３９】
この効果はアンテナ特性やアンテナの最適な配置場所などの確保が容易ではなく、また、使用環境が室内外を問わず多岐にわたるため、弱電界環境下における受信感度特性の維持、向上が求められる携帯端末において特に有効である。
【００４０】
なお、本発明は以上の実施の形態に限定されるものではなく、例えば、本発明は携帯電話以外の携帯端末にも適用可能である。
【図面の簡単な説明】
【００４１】
【図１】本発明のＧＰＳ受信装置の第１の実施形態のブロック図である。
【図２】図１の装置の温度対測位成功率特性の一例を示す図である。
【図３】本発明のＧＰＳ受信装置の第２の実施形態のブロック図である。
【図４】本発明のＧＰＳ受信装置を用いた携帯端末の一実施形態のブロック図である。
【図５】特許文献３記載のＧＰＳ受信装置の一例のブロック図である。
【図６】図５の装置においてＴＣＸＯを用いた場合と、ＴＣＸＯの替りにシグナルジェネレータを用いた場合の温度対測位成功率特性の一例を対比して示す図である。
【符号の説明】
【００４２】
１  ＧＰＳ電波受信用アンテナ
２、４  帯域フィルタ（ＢＰＦ）
３  可変利得型低雑音増幅器（ＬＮＡ）
５  ＧＰＳ用ＬＳＩ
６  温度補償水晶発振器（ＴＣＸＯ）
１１  温度センサ
１２  ホストコンピュータ（ホスト）
１５  ＧＰＳ受信部
２０  制御部
２１  携帯電話用アンテナ
２２  無線部
２３  信号処理部
２４  記憶部
１２１  リード・オンリ・メモリ（ＲＯＭ）
１２２  中央処理装置（ＣＰＵ）
【図１】
2009186406.tif 000003
【図２】
2009186406.tif 000004
【図３】
2009186406.tif 000005
【図４】
2009186406.tif 000006
【図５】
2009186406.tif 000007
【図６】
2009186406.tif 000008